(57)【要約】  照明システム１０００では、ランプ１が、自機が壁スイッチ３によりオンしてからの経過時間を計測する計時手段と、計時手段により計測された経過時間に基づいて壁スイッチ３に有線接続された複数の電気機器を特定する特定手段と、特定手段により同一の壁スイッチに有線接続されていると特定された複数のランプ１に同じ識別情報（ＰＡＮ−ＩＤ）を付与する識別情報（ＰＡＮ−ＩＤ）付与手段と、リモコン２のＮｅｔ−ＩＤを登録する登録手段とを実現する無線回路５０を備えている。
2013038620.tif 000002
【特許請求の範囲】
【請求項１】
無線送受信機能を有する複数の電気機器と、前記複数の電気機器に無線接続され前記複数の電気機器の駆動制御を行う遠隔制御装置と、前記複数の電気機器に有線接続され前記複数の電気機器のオンオフ制御を行う複数の電源スイッチとを備える無線制御システムであって、
前記複数の電気機器それぞれは、
自機が前記電源スイッチによりオンしてからの経過時間を計測する計時手段と、
前記計時手段により計測された前記経過時間と他機が前記電源スイッチによりオンしてからの経過時間とに基づいて、自機が有線接続されている電源スイッチと同一の電源スイッチに有線接続されている他機を特定する特定手段と、
前記特定手段により同一の電源スイッチに有線接続されていると特定された他機それぞれに、他の電源スイッチに有線接続されている電気機器と区別するための識別情報を付与する識別情報付与手段と、
前記識別情報付与手段により付与された前記識別情報と前記遠隔制御装置の識別情報とを対応付けて登録する登録手段とを備える
ことを特徴とする無線制御システム。
【請求項２】
前記複数の電気機器のうち、前記登録手段により前記遠隔制御装置の識別情報を登録する一部の電気機器が、親機であり、他が子機である
ことを特徴とする請求項１記載の無線制御システム。
【請求項３】
前記電気機器それぞれは、自機が親機として機能するか子機として機能するかを決定する機能決定手段を備える
ことを特徴とする請求項２記載の無線制御システム。
【請求項４】
前記特定手段は、
前記計時手段により計測された経過時間を示す第１時間情報を他の電気機器に送信する時間情報送信手段と、
他の電気機器が前記電源スイッチによりオンしてからの経過時間を示す第２時間情報を取得する時間情報取得手段と、
前記第１時間情報と前記第２時間情報との差分を算出する差分算出手段と、
前記差分が基準範囲内であるか否かを判定する判定手段とを備え、
前記識別情報付与手段は、前記判定手段により前記差分が前記基準範囲内であると判断された場合、自機に他の電気機器の識別情報と同じ識別情報を付与する
ことを特徴とする請求項１乃至３のいずれか1項に記載の無線制御システム。
【請求項５】
前記電気機器それぞれは、無線送受信機能を有するランプである
ことを特徴とする請求項１乃至４のいずれか１項に記載の無線制御システム。
【請求項６】
前記基準範囲は、−１．０ｓｅｃ超且つ１．０ｓｅｃ未満である
ことを特徴とする請求項４記載の無線制御システム。
【請求項７】
前記複数の電気機器のネットワークの接続形態は、クラスタ・ツリー、または、クラスタ・ツリーとそれ以外の接続形態との組合わせである
ことを特徴とする請求項１乃至５のいずれか１項に記載の無線制御システム。
【発明の詳細な説明】
【技術分野】
【０００１】
本発明は、無線制御システムに関し、特に、遠隔制御装置によってランプ等の制御対象に番号を付与する技術に関する。
【背景技術】
【０００２】
イベントホール等の大型施設においては、一般的に複数個のランプが設置されている。そして、これら複数個のランプを数グループ（例えば、２つのグループ）に分けて、各グループ毎に共通の壁スイッチに有線接続し、グループ単位でオンオフできるようにしている例が多く見られる。例えば、図１２に示すように、第１の壁スイッチＸに有線接続された複数のランプから構成されるグループと、第１の壁スイッチＸとは別の第２の壁スイッチＹに有線接続された複数のランプから構成されるグループとに分けて、各別にオンオフ制御できるようにする場合がある。こうすることで、複数のランプのうち必要最小限のランプだけを点灯させるようにできるので、複数のランプ全体に要する電力の削減を図ることができる。また、第１の壁スイッチＸだけをオン状態にしたり、第１の壁スイッチＸおよび第２の壁スイッチＹの両方をオン状態にしたりすることで、施設内の明るさを変更するといった使い方もできる。【０００３】
一方、近年では、遠隔制御装置（以下、「リモコン」と称す。）から送信される無線信号により点灯制御されるランプが提案されている（特許文献１参照）。このようなランプでは、一般的に照明器具等に取り付けた後にランプを識別するための識別情報（ＩＤ）が付与され、以後、リモコンから当該ＩＤ宛てに送信される無線信号により点灯制御される。この識別情報は、複数のランプで共有する１つの番号（ＰＡＮ−ＩＤ）であったり、或いは、各ランプに個別に付与された識別番号であったりする。
【先行技術文献】
【特許文献】
【０００４】
【特許文献１】特開２０１１−９７１７号公報
【発明の概要】
【発明が解決しようとする課題】
【０００５】
ところで、前述の大型施設に設置されるランプとして、特許文献１に記載されたようなランプを用いることで、第１の壁スイッチＸに有線接続されたランプ全てを第１のリモコンＰでオンオフ制御できるようにするとともに、第２の壁スイッチＹに有線接続されたランプ全てを第１のリモコンＰとは別の第２のリモコンＱでオンオフ制御することができるようにして、利便性を向上させることが考えられる。【０００６】
この場合、ランプの使用開始時に、まず、各ランプに対してＩＤを付与することが必要となる。具体的には、第１のリモコンＰからランプ識別用のＩＤを送信し、第１のリモコンＰが送信したＩＤをランプが受信して、ランプ自体の有するメモリに記憶されることで、ランプにＩＤが付与される。【０００７】
このランプへのＩＤの付与は、図１２に示すように、第１のリモコンＰをランプに近づけた状態（例えば、リモコンとランプに内蔵されたアンテナとの間の距離が１０ｃｍ以内となっている状態）で、第１のリモコンＰからランプに対してＩＤを含む無線信号を送信することにより行う。【０００８】
しかしながら、この方法では、使用開始時において、まず、壁スイッチＸから導出した配線の引き回し等を確認しながら、各壁スイッチＸそれぞれに有線接続された各ランプとの接続関係を特定し、その後、第１の壁スイッチＸに有線接続されたランプそれぞれに第１のリモコンＰを近づけて各ランプにＰＡＮ−ＩＤを記憶させる必要がある。特に、複数のランプが高所に設置されている場合には、各ランプに第１のリモコンＰを近づける作業が容易ではない。また、壁スイッチＹに有線接続された複数のランプを第２のリモコンＱによりオンオフ制御する場合、同様の作業を別途行う必要がある。【０００９】
なお、前述では、大型施設に無線制御可能なランプを複数個設置する場合について説明したが、他の無線制御可能な電気機器（例えば、空調機器等）を複数個設置する場合でも同様な課題が生じる。【００１０】
本発明は、上記事由に鑑みてなされたものであり、遠隔制御装置の制御対象となる電気機器に識別情報を付与する作業の容易化を図ることができる無線制御システムを提供することを目的とする。
【課題を解決するための手段】
【００１１】
上記目的を達成するため、本発明に係る無線制御システムは、無線送受信機能を有する複数の電気機器と、複数の電気機器に無線接続され複数の電気機器の駆動制御を行う遠隔制御装置と、複数の電気機器に有線接続され複数の電気機器のオンオフ制御を行う複数の電源スイッチとを備える無線制御システムであって、複数の電気機器それぞれは、自機が電源スイッチによりオンしてからの経過時間を計測する計時手段と、計時手段により計測された経過時間と他機が電源スイッチによりオンしてからの経過時間とに基づいて、自機が有線接続されている電源スイッチと同一の電源スイッチに有線接続されている他機を特定する特定手段と、特定手段により同一の電源スイッチに有線接続されていると特定された他機それぞれに、他の電源スイッチに有線接続されている電気機器と区別するための識別情報を付与する識別情報付与手段と、識別情報付与手段により付与された識別情報と遠隔制御装置の識別情報とを対応付けて登録する登録手段を備える。
【発明の効果】
【００１２】
本構成によれば、計時手段と特定手段とにより、電源スイッチによりオンしてからの経過時間に基づいて複数の電気機器を特定し、識別情報付与手段が、特定手段により同一の電源スイッチに有線接続されていると特定した複数の電気機器に、他の電源スイッチに有線接続されている電気機器と区別するための識別情報を付与することにより、電源スイッチがオンされるだけで当該電源スイッチに有線接続され同じタイミングでオンした複数の電気機器全てが一の識別情報でグループ化されることとなり、識別情報を個別に付与していく作業を要しない。従って、同一の電源スイッチに有線接続された複数の電気機器に、遠隔制御装置による制御に必要な識別情報付与を行う作業を容易化することができる。【００１３】
また、本発明に係る無線制御システムは、複数の電気機器のうち、上記登録手段により上記遠隔制御装置の識別情報を登録する一部の電気機器が親機であり、他が子機であってもよい。【００１４】
本構成によれば、特定手段および識別情報付与手段が実行する処理を親機のみで実行するので、無線制御システム全体での処理量を低減でき、無線制御システム全体での消費電力化の低減を図ることができる
また、本発明に係る無線制御システムは、上記電気機器が、自機が親機として機能するか子機として機能するかを決定する機能決定手段を備えるものであってもよい。【００１５】
また、本発明に係る無線制御システムは、上記特定手段が、上記計時手段により計測された経過時間を示す第１時間情報を他の電気機器に送信する時間情報送信手段と、他の電気機器が上記電源スイッチによりオンしてからの経過時間を示す第２時間情報を取得する時間情報取得手段と、第１時間情報と第２時間情報との差分を算出する差分算出手段と、差分が基準範囲内であるか否かを判定する判定手段とを備え、上記識別情報付与手段が、判定手段により差分が基準範囲内であると判断された場合、自機に他の電気機器の識別情報と同じ識別情報を付与するものであってもよい。【００１６】
また、本発明に係る無線制御システムは、上記電気機器それぞれが、無線送受信機能を有するランプであってもよい。【００１７】
また、本発明に係る無線制御システムは、上記基準範囲が、−１．０ｓｅｃ超且つ１．０ｓｅｃ未満であってもよい。【００１８】
また、本発明に係る無線制御システムは、上記複数の電気機器のネットワークの接続形態は、クラスタ・ツリー、または、クラスタ・ツリーとそれ以外の接続形態との組合わせであってもよい。
【図面の簡単な説明】
【００１９】
【図１】実施の形態に係る無線制御システムの構成図である。
【図２】実施の形態に係るランプの一部破断した斜視図である。
【図３】実施の形態に係るランプの概略構成図である。
【図４】実施の形態に係る遠隔制御装置（リモコン）の概略構成図である。
【図５】実施の形態に係る無線制御システムの動作を示すシーケンス図である。
【図６】実施の形態に係る無線制御システムの動作を示すタイムチャートである。
【図７】実施の形態に係る無線制御システムで使用される信号フォーマットである。
【図８】実施の形態に係る親機であるランプの動作を示すフローチャートである。
【図９】実施の形態に係る子機であるランプの動作を示すフローチャートである。
【図１０】実施の形態に係るランプの動作を示すフローチャートである。
【図１１】実施の形態に係るランプの動作を示すフローチャートである。
【図１２】従来例に係る無線制御システムの動作説明図である。
【発明を実施するための形態】
【００２０】
＜実施の形態＞
＜１＞構成
本実施の形態に係る照明システム１０００の概略を図１に示す。
【００２１】
図１に示すように、照明システム１０００は、複数のランプ１と、２つの遠隔制御装置（以下、「リモコン」と称す。）２と、２つの壁スイッチ３とから構成される。
【００２２】
なお、図１では、壁スイッチＸに有線接続された複数のランプには、ランプＡ，Ｂ，Ｃが含まれ、壁スイッチＹに有線接続された複数のランプには、ランプＤが含まれるものとする。また、壁スイッチＸに有線接続された複数のランプが、リモコンＰにより点灯制御され、壁スイッチＹに有線接続された複数のランプが、リモコンＱにより点灯制御されるものとする。ここで、複数のランプは、そのうちの１つが親機であり、他が子機の関係にある（例えば、ランプＡが親機でランプＢ，Ｃが子機である）。そして、これらの複数のランプ間で、クラスター・ツリー型のネットワークトポロジを構成することになる。
【００２３】
ここにおいて、ランプＢ，Ｃは、リモコンＰから送信される制御信号を受信したランプＡから送信される制御信号により点灯制御される。
【００２４】
＜１−１＞ランプ
＜１−１−１＞外観構成
本実施の形態に係るランプ１の外観構成について、図２を参照しながら説明する。
【００２５】
図２に示すように、ランプ１は、発光部４３を有する発光モジュール４０と、発光モジュール４０が取着される基台６０と、基台６０に発光モジュール４０を覆うように取着されるグローブ７０と、発光部４３に電力を供給する電力供給部等を構成する回路を含む回路ユニット８０と、内部に回路ユニット８０を収納する筐体９０と、外部から回路ユニット８０に供給される電力を受けるための口金９２とを備える。
【００２６】
発光モジュール４０は、平面視円環状のモジュール基板４１と当該モジュール基板４１上にモジュール基板４１の周方向に沿って円環状に配設された複数の発光部４３とを有する。
【００２７】
基台６０は、略円環形状であり、平面視でモジュール基板４１と重なる形状を有する。
【００２８】
グローブ７０は、電球のバルブを模した形状を有し、モジュール基板４１の前方を覆った状態で基台６０に固定されている。
【００２９】
回路ユニット８０は、アンテナＡ１を有しており、当該アンテナＡ１は、モジュール基板４１および基台６０の開口からグローブ７０内に突出している。
【００３０】
筐体９０は、両端が開口し前方から後方へ向けて縮径した円筒形状を有する。図２に示すように、筐体９０の一端側には基台６０とグローブ７０が配置されており、筐体９０の他端側には口金９２が配置されている。
【００３１】
口金９２は、いわゆるエジソンタイプの形状を有し、ランプ１が照明器具に取り付けられる際に、照明器具のソケットから電力を受けるための部材である。
＜１−１−２＞回路構成
ランプ１の回路構成について、図３を参照しながら説明する。
【００３２】
図３に示すように、ランプ１は、回路ユニット８０と、回路ユニット８０に接続され回路ユニット８０から電力が供給される発光部４３を有する発光モジュール４０とを備える。そして、ランプ１は、壁スイッチ３を介して商用電源１００に接続されている。
【００３３】
回路ユニット８０は、電源回路１０と、電力変換回路２０と、ドライバ回路３０と、無線回路５０とを備える。
【００３４】
電源回路１０は、商用電源１００から供給される交流を整流平滑して直流に変換して出力する整流平滑回路と、整流平滑回路から出力される直流電力により駆動し、ドライバ回路３０および無線回路５０に一定の大きさの直流電力を供給するレギュレータとを備える。ここで、整流平滑回路は、ダイオードブリッジと、当該ダイオードブリッジから出力される脈流を平滑化するための高耐圧の電解コンデンサとを備えるものである。また、レギュレータは、高耐圧ＭＯＳ−ＦＥＴを用いて構成されるバンドギャップレギュレータにより構成されている。
【００３５】
電力変換回路２０は、スイッチング素子、インダクタおよびダイオードを組み合わせて構成されるＤＣ−ＤＣコンバータである。ここで、ＤＣ−ＤＣコンバータの一部を構成するスイッチング素子が、ドライバ回路３０における第１制御信号を出力する端子に接続されている。そして、電力変換回路２０の出力電圧の大きさは、ドライバ回路３０から出力される制御信号により制御される。
【００３６】
ドライバ回路３０は、無線回路５０から入力される第２制御信号に基づいて、第１制御信号の周波数やデューティ比を変更する。なお、ドライバ回路３０は、前述のＤＣ−ＤＣコンバータの一部を構成するスイッチング素子とともに１つのＩＣパッケージに内蔵されている。このようなドライバ回路３０としては、例えば、ＮＸＰ社のＳＳＬ２１０８（デジタル調光制御信号）またはＳＳＬ２１０１（アナログ調光制御信号）等がある。
【００３７】
無線回路５０は、アンテナＡ１が接続された送受信回路５１と、変調モデム５２と、暗号化処理部５３と、ＣＰＵ５４と、ＲＡＭ（Ｒａｎｄｏｍ  Ａｃｃｅｓｓ  Ｍｅｍｏｒｙ）５５と、ＲＯＭ（Ｒｅａｄ  Ｏｎｌｙ  Ｍｅｍｏｒｙ）５６と、タイマ５７と、データバス５８と、インターフェース回路（ＩＦ）５９とを備える。この無線回路５０で扱う無線信号は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１５．４規格に準拠した通信装置で使用されている世界共通で使用可能な２．４［ＧＨｚ］の周波数帯域の無線信号である。なお、ＩＥＥＥ８０２．１５．４とは、ＰＡＮ（Ｐｅｒｓｏｎａｌ  Ａｒｅａ  Ｎｅｔｗｏｒｋ）、またはＷ（Ｗｉｒｅｌｅｓｓ）ＰＡＮと呼ばれる短距離無線ネットワーク規格の名称である。
【００３８】
ここで、送受信回路５１は、外部からアンテナＡ１を介して無線信号を受信するとともに、アンテナＡ１を介して無線信号を送信する。このアンテナＡ１は、使用する無線信号に対応した規格のものが採用されている。
【００３９】
変調モデム５２は、送受信回路５１から入力されるデジタル信号を復調して制御データを出力するとともに、送受信回路５１に制御データを入力する。
【００４０】
暗号化処理部５３は、変調モデム５２に入力する制御データを暗号化する機能を有するプロセッサにより構成される。
【００４１】
なお、以上で説明したような無線回路５０としては、例えば、ＮＸＰ社のＪＮ５１４２またはＪＮ５１４８等がある。
【００４２】
＜１−２＞リモコン（遠隔制御装置）
リモコン２は、図１に示すように、ランプ１をオンオフ制御するための第１スイッチ２ａと、ランプ１の明るさを制御するための第２スイッチ２ｂと、ランプ１のＰＡＮ−ＩＤを登録するための第３スイッチ２ｃとを備える。
【００４３】
リモコン２の回路構成について、図４を参照しながら説明する。
【００４４】
図４に示すように、リモコン２は、電池２００と、キー入力装置２２０と、無線回路２５０とを備える。ここで、無線回路２５０は、電池２００から直流電力の供給を受ける。
【００４５】
キー入力装置２２０は、図１に示すような、スイッチ２ａ，２ｂ，２ｃに対応する接点スイッチを備えている。各接点スイッチは、各別に無線回路２５０に電気的に接続されている。
【００４６】
無線回路２５０は、アンテナＡ２１が接続された送受信回路２５１と、変調モデム２５２と、暗号化処理部２５３と、ＣＰＵ２５４と、ＲＡＭ（Ｒａｎｄｏｍ  Ａｃｃｅｓｓ  Ｍｅｍｏｒｙ）２５５と、ＲＯＭ（Ｒｅａｄ  Ｏｎｌｙ  Ｍｅｍｏｒｙ）２５６と、データバス２５８と、インターフェース回路（ＩＦ）２５９とを備える。ここで、送受信回路２５１、変調モデム２５２および暗号化処理部２５３は、＜１−１−２＞で説明した構成と同様なので説明を省略する。
【００４７】
＜１−３＞壁スイッチ
壁スイッチ３は、図１に示すように、スイッチハンドル３ａと、スイッチハンドル３ａの外周部に配設されたハンドルプレート３ｂと、壁に取着され、スイッチハンドル３ａおよびハンドルプレート３ｂを保持する本体部（図示せず）とを備える。そして、ユーザが、ハンドル３ａの一部（図１の「オン」、「オフ」と表示された部位）を押下すると、壁スイッチ３のオンオフ状態が切り替わる。ユーザがスイッチハンドル３ａの一部（図１の「オン」と表示された部位）を押下すると、壁スイッチ３に有線接続された複数のランプ１全てに電力が供給され、複数のランプ１全てが点灯する。続いて、ユーザがスイッチハンドル３ａの一部（図１の「オフ」と表示された部位）を押下すると、壁スイッチ３に有線接続された複数のランプ１全てへの電力供給が遮断され、複数のランプ１全てが消灯する。
【００４８】
＜２＞動作
＜２−１＞全体動作
本実施の形態に係る照明システムは、１つの壁スイッチ３に有線接続された複数のランプ１に識別情報として同一のＰＡＮ−ＩＤを付与するものである。即ち、同一の壁スイッチ３に有線接続された複数のランプ１からなるグループを他の壁スイッチに有線接続された電気機器と区別するために、同一の壁スイッチ３に有線接続された複数のランプ１に同一のＰＡＮ−ＩＤを付与する。これにより、同一の壁スイッチ３に有線接続された複数のランプが同一のＰＡＮ−ＩＤでグループ化されることになる。この複数のランプ１は、工場出荷時に製品固有のＮｅｔ−ＩＤが付与されているが、リモコン２との無線通信に使用するＰＡＮ−ＩＤは付与されていない。また、Ｎｅｔ−ＩＤは、各製品毎に異なる番号からなるものであり、製品が異なれば必ずＮｅｔ−ＩＤも異なることになる。
【００４９】
図１で説明すると、この照明システム１０００では、まず、複数のランプＡ，Ｂ，Ｃ，Ｄの中で１つの親機（ランプＡ）と複数の子機（ランプＢ，Ｃ，Ｄ）を決定し、親機が、ＰＡＮ−ＩＤを決定する処理を行う。ここでは、ランプＡ，Ｂ，Ｃの中で最も早く起動したランプＡが親機となる。親機がＰＡＮ−ＩＤを決定すると、親機は、決定したＰＡＮ−ＩＤを子機に通知する。その後、同一のＰＡＮ−ＩＤが付与されたランプＡ，Ｂ，Ｃ全てが調光点灯する。そして、調光点灯している間にリモコンＰから登録要求信号が送信されると、ランプＡは、リモコンＰのＮｅｔ−ＩＤをランプＢ，Ｃに付与したＰＡＮ−ＩＤとを対応付けて自機に登録する。これにより、リモコンＰと同一のＰＡＮ−ＩＤが付与されたランプＡ，Ｂ，Ｃ全てがランプＡの中で対応付けされる。
【００５０】
以下、本実施の形態に係る照明システム１０００の動作について、図１、図５乃至７に基づいて説明する。
【００５１】
まず、図５および図６に示すように、時刻Ｔ１において、壁スイッチＸをオンすると（ステップＳＴ１）、ランプＡ，Ｂ，Ｃは点灯する。これと同時に、各ランプＡ，Ｂ，Ｃに内蔵された無線回路５０では、タイマ５７がオンし計時を開始する。ここで、ランプＤは、壁スイッチＸとは別の壁スイッチＹがオンしたタイミングで計時が開始されている。ここでは、ランプＡがランプＡ，Ｂ，Ｃの中で最も早く起動したものとして説明する。従って、ランプＡが親機であり、ランプＢ，Ｃは子機である。また、ランプＡは、自機がビーコン信号を発するタイミングよりも他のランプＢ，Ｃから発せられたビーコン信号を受信するタイミングのほうが遅いことを認識することにより、自機が最も早く起動したことを認識する。
【００５２】
そして、ランプＡは、ビーコン信号を一定期間繰り返し送信する。このビーコン信号は、図７（ａ）に示すように、制御情報と、ＥＳＳ−ＩＤと、信号情報と、誤り検出符号ＦＣＳとから構成される。ここで、制御情報は、信号を構成するフレームの始まりを示すものである。ＥＳＳ−ＩＤは、ランプＡ，Ｂ，Ｃが属するネットワークを識別するためのＩＤである。信号情報は、信号がビーコン信号であることを示す固有の識別情報である。誤り検出符号ＦＣＳは、信号に誤りが発生しているか否かを検出するためのビット列である。
【００５３】
ここで、ランプＡの周囲に無線ＬＡＮのアクセスポイント（図示せず）等があると、これらは、ビーコン信号に対して第１ＡＣＫ（ＡＣＫｎｏｗｌｅｄｇｅ）信号をブロードキャスト送信する。この第１ＡＣＫ信号は、図７（ｂ）に示すように、制御情報と、送り元ＰＡＮ−ＩＤと、信号情報と、誤り検出符号ＦＣＳとから構成される。ここで、送り元ＰＡＮ−ＩＤは、第１ＡＣＫ信号を送信した送り元を識別するための識別情報であり、例えば、無線ＬＡＮのアクセスポイントが保有するＰＡＮ−ＩＤとなる。信号情報は、信号が第１ＡＣＫ信号であることを示す固有の識別情報である。また、リモコンＰ，Ｑは、予め電源オンされている（ステップＳＴ２）が、これらはビーコン信号に対して第１ＡＣＫ信号は送信しない。また、ランプＤは、ランプＡ，Ｂ，Ｃが有線接続された壁スイッチＸとは異なる壁スイッチＹに接続されており、ランプＡ，Ｂ，Ｃよりも遅れてオン状態となる。
【００５４】
そして、ランプＡは、無線ＬＡＮのアクセスポイント等から送信されてくる第１ＡＣＫ信号に基づいて、使用されていないＰＡＮ−ＩＤ（以下、空きＰＡＮ−ＩＤと称す。）を検出した後、検出した空きＰＡＮ−ＩＤの中から選出したＩＤを自機のＰＡＮ−ＩＤとして設定する（ステップＳＴ３）。
【００５５】
その後、親機であるランプＡは、所定の時刻になると（図６の時刻Ｔ２）、他のランプＢ，Ｃ，Ｄに対して自機のＰＡＮ−ＩＤを含むＰＡＮ−ＩＤ情報信号を送信する。このＰＡＮ−ＩＤ情報信号は、図７（ｃ）に示すように、制御情報と、送り元ＰＡＮ−ＩＤと、送り元Ｎｅｔ−ＩＤと、信号情報と、誤り検出符号ＦＣＳとから構成される。ここで、送り元Ｎｅｔ−ＩＤは、ランプＡ，Ｂ，Ｃ、Ｄに対して工場出荷時に付与されている固有の識別情報である。ランプＢ，Ｃ，Ｄそれぞれは、ランプＡから送信されてくるＰＡＮ−ＩＤ情報信号をこのＮｅｔ−ＩＤに基づいて取り込むか否かを判断することになる。送り元ＰＡＮ−ＩＤは、ＰＡＮ−ＩＤ情報信号を送信した送り元を識別するための識別情報であり、親機となるランプＡのＰＡＮ−ＩＤである。信号情報は、信号が仮ＰＡＮ−ＩＤ情報信号であることを示す固有の識別情報である。なお、Ｎｅｔ−ＩＤは、工場出荷時点からランプＡ，Ｂ，Ｃ、Ｄが備えるＲＯＭ５６に記憶されている。
【００５６】
一方、各ランプＢ，Ｃ、Ｄは、ＰＡＮ−ＩＤ情報信号を受信すると、自機にＰＡＮ−ＩＤが設定されているか否かを判定し、自機にＰＡＮ−ＩＤが設定されていないと判定されると、ＰＡＮ−ＩＤ情報信号に含まれるＰＡＮ−ＩＤを自機に登録する。
【００５７】
そして、ランプＢ，Ｃ，Ｄは、受信時刻（図６の時刻Ｔ２）におけるタイマ計数値を含む時間情報信号をランプＡに対して送信する。この時間情報信号は、図７（ｄ）に示すように、制御情報と、宛先Ｎｅｔ−ＩＤと、送り元Ｎｅｔ−ＩＤと、信号情報と、タイマ計数値と、誤り検出符号ＦＣＳとから構成される。ここで、宛先Ｎｅｔ−ＩＤは、親機となるランプＡのＮｅｔ−ＩＤである。送り元Ｎｅｔ−ＩＤは、時間情報信号を送信した送り元を識別するための識別情報であり、子機となるランプＢ，Ｃ，ＤのＮｅｔ−ＩＤである。信号情報は、信号が時間情報信号であることを示す固有の識別情報である。タイマ計数値は、各ランプＢ，Ｃ，Ｄの時刻Ｔ２におけるタイマ５７の計数値であり、各ランプＢ，Ｃ，Ｄが有線接続された壁スイッチＸ、Ｙによりオンされてからの経過時間に相当する。
【００５８】
なお、時刻Ｔ２では、ランプＡ、Ｂ，Ｃ，Ｄの無線回路５０においてタイマ５７がリセットされる。
【００５９】
そして、各ランプＡは、自機のタイマ計数値と他のランプＢ，Ｃ，Ｄから送信されてきた時間情報信号に含まれるタイマ計数値とを用いて時間比較処理を行う（ステップＳＴ４）。この時間比較処理は、同一の壁スイッチＸに接続されたランプを特定する処理であり、親機であるランプＡのタイマ計数値との差分が所定の基準範囲内にある子機（ランプＢ，Ｃ）を親機であるランプＡと同一の壁スイッチＸに接続されたものとして特定する。
【００６０】
その後、時刻Ｔ３において、時間比較処理を実行した結果、ランプＡと同一の壁スイッチＸに接続されたランプとして特定されたランプＢ，Ｃに対して、ランプＡからペアリングフラグ通知信号を送信する。このペアリングフラグ通知信号は、図７（ｅ）に示すように、制御情報と、宛先Ｎｅｔ−ＩＤと、送り元Ｎｅｔ−ＩＤと、信号情報と、誤り検出符号ＦＣＳとから構成される。ここで、宛先Ｎｅｔ−ＩＤは、ペアリングフラグ通知信号を送信する宛先を識別するための識別情報であり、ランプＡと同一の壁スイッチＸに接続されたランプとして特定されたランプＢ，ＣのＮｅｔ−ＩＤである。送り元Ｎｅｔ−ＩＤは、ペアリングフラグ通知信号を送信した送り元を識別するための識別情報であり、親機となるランプＡのＮｅｔ−ＩＤである。信号情報は、信号がＰＡＮ−ＩＤ通知信号であることを示す固有の識別情報である。
【００６１】
そして、子機であるランプＢ，Ｃは、親機であるランプＡからペアリングフラグ通知信号を受信すると、ペアリングフラグを「１」に設定する。
【００６２】
その後、親機であるランプＡおよび子機であるランプＢ，Ｃは共に調光点灯する（ステップＳＴ５）。ここで、ランプＡ，Ｂ，Ｃが調光点灯するのは、ユーザにランプＡ，Ｂ，Ｃに同一のＰＡＮ−ＩＤが付与されたことを通知するためである。
【００６３】
次に、ランプＡは、調光点灯している状態でビーコン信号を送信する。すると、リモコンＰ，Ｑが、第２ＡＣＫ信号をブロードキャスト送信する。この第２ＡＣＫ信号は、図７（ｆ）に示すように、制御情報と、送り元Ｎｅｔ−ＩＤと、信号情報と、誤り検出符号ＦＣＳとから構成される。ここで、送り元Ｎｅｔ−ＩＤは、リモコン応答信号の送信元を識別するための識別情報であり、リモコンＰ，ＱのＮｅｔ−ＩＤである。信号情報は、信号が第２ＡＣＫ信号であることを示す固有の識別情報である。ここで、ランプＢ，Ｃは、ペアリングフラグが「１」に設定されていると、第２ＡＣＫ信号を受け付けない。これにより、親機であるランプＡだけが第２ＡＣＫ信号を受け付けることになる。
【００６４】
そして、ランプＡ，Ｂ，Ｃが調光点灯している状態で、時刻Ｔ４に、ユーザがリモコンＰの登録釦２ｃを押下すると、リモコンＰから登録要求信号がブロードキャスト送信される。この登録要求信号は、図７（ｆ）に示すように、制御情報と、送り元Ｎｅｔ−ＩＤと、信号情報と、誤り検出符号ＦＣＳとから構成される。ここで、送り元Ｎｅｔ−ＩＤは、登録要求信号の送り元を識別するための識別情報であり、リモコンＰのＮｅｔ−ＩＤである。信号情報は、信号が登録要求信号であることを示す固有の識別情報である。
【００６５】
そして、ランプＡは、登録要求信号を受信すると、ランプＢ，Ｃに付与したＰＡＮ−ＩＤと、送り元のリモコンＰのＮｅｔ−ＩＤとを対応づけて登録する。このように、リモコンＰは、ランプＡにＰＡＮ−ＩＤが付与された後、最後にランプＡとの対応付けがなされる。
【００６６】
そして、ランプＡは、登録要求信号を受信した後（図６の時刻Ｔ５）に点滅し、その後（図６の時刻Ｔ６）、再び点灯する。また、ランプＢ，ＣもランプＡと同様に調光点灯した後に再び点灯する。ここで、ランプＡ，Ｂ，Ｃが調光点灯するのは、ユーザにランプＡとリモコンＰとが紐付けされたことを通知するためである。調光点灯とは、減光、点滅、消灯を含む。なお、ランプＡが、リモコンＰのＮｅｔ−ＩＤを登録した直後からリモコンＰにより制御可能となるようにしてもよい。
【００６７】
以上一連の動作が完了すると、同一の壁スイッチＸに有線接続されたランプＡ，Ｂ，Ｃが同一のＰＡＮ−ＩＤでグループ化されるとともに、リモコンＰとランプＡとが紐付けされる。
【００６８】
＜２−２＞親機となるランプの無線回路の動作
照明システム１０００の一部を構成するランプＡ，Ｂ，Ｃのうち、親機となるランプＡの無線回路５０の動作について図８に基づいて説明する。ここで、無線回路５０の各動作は、ＣＰＵ５４がＲＯＭ５６に予め記憶されているプログラムをＲＡＭ５５に読み出した後、当該プログラムを実行することにより実現される。
【００６９】
まず、壁スイッチＸをオンにしてランプＡの電源がオンすると（ステップＳ１）、タイマ５７がオンし、タイマ５７が計時を開始する（ステップＳ２）。
【００７０】
次に、無線回路５０は、使用していないＰＡＮ−ＩＤである空きＰＡＮ−ＩＤを検索する動作を行う（ステップＳ３）。この空きＰＡＮ−ＩＤを検索する動作の詳細については＜２−４＞で詳述する。
【００７１】
続いて、無線回路５０は、空きＰＡＮ−ＩＤの検索動作により検出した空きＰＡＮ−ＩＤの中から選出した１つのＩＤを自機のＰＡＮ−ＩＤとして設定する（ステップＳ４）。具体的には、ＣＰＵ５４が、検出した空きＰＡＮ−ＩＤの中から選出した１つのＩＤをＲＡＭ５５の自機に付与するＰＡＮ−ＩＤが記憶されるＰＡＮ−ＩＤ記憶領域に書き込む。また、このＰＡＮ−ＩＤは、ランプＢ，Ｃ，Ｄに付与するために、ＣＰＵ５４が、ＰＡＮ−ＩＤ情報信号用のフォーマットに変換した後に、データバス５８を介して暗号化処理部５３等へ送る。
【００７２】
次に、無線回路５０は、ＰＡＮ−ＩＤ情報信号をブロードキャスト送信する（ステップＳ５）。
【００７３】
その後、無線回路５０は、タイマ５７が計時する時間が所定の時間（例えば、１ｍｉｎ）だけ経過したか否か（タイムアップしたか否か）を判定する（ステップＳ６）。タイムアップしていないと判定すると（ステップＳ６：Ｎｏ）、待ち状態となる。
【００７４】
一方、タイムアップしたと判定すると（ステップＳ６：Ｙｅｓ）、無線回路５０は、子機となるランプＢ，Ｃ，Ｄから送信された時間情報信号を受信する（ステップＳ７）。
【００７５】
その後、時間情報信号に含まれる子機となるランプＢ，Ｃ，Ｄのタイマ計数値を用いて時間比較処理を実行する（ステップＳ８）。この時間比較処理では、同一の壁スイッチＸに接続されたランプが特定される。時間比較処理の詳細については＜２−５＞で詳述する。また、この時間比較処理では、ＲＡＭ５５に記憶されているペアリングフラグＦ１の値が設定される。
【００７６】
次に、無線回路５０は、ペアリングフラグＦ１が「１」に設定されているか否かを判定する（ステップＳ９）。
【００７７】
ステップＳ９において、ペアリングフラグＦ１が「１」に設定されていないと判定されると（ステップＳ９：Ｎｏ）、無線回路５０は、そのまま処理を終了する。
【００７８】
一方、ステップＳ９において、ペアリングフラグＦ１が「１」に設定されていると判定されると（ステップＳ９：Ｙｅｓ）、無線回路５０は、時間比較処理において同一の壁スイッチＸに接続されたランプとして特定されたランプＢ，Ｃに対して、ペアリングフラグ通知信号を送信する（ステップＳ１０）。
【００７９】
続いて、無線回路５０は、タイマ５７をリセットし（ステップＳ１１）、ドライバ回路３０に５０％の調光点灯を指示する調光点灯指示信号を入力する（ステップＳ１２）。このとき、ドライバ回路３０は、無線回路５０から調光点灯指示信号が入力されると、電力変換回路２０に入力する制御信号のデューティ比を低下させる。これにより、電力変換回路２０から発光モジュール４０に入力される電力が低下し、発光モジュール４０から出射される光量が低下する。
【００８０】
次に、無線回路５０は、ビーコン信号をブロードキャスト送信（「ビーコン要求」ともいう）する（ステップＳ１３）。
【００８１】
その後、無線回路５０は、リモコンＰ，Ｑから送信される第２ＡＣＫ信号を受信する（ステップＳ１４）。
【００８２】
続いて、無線回路５０は、リモコンＰから登録要求信号が送信されているか否かを判定する（ステップＳ１５）。
【００８３】
ステップＳ１５において、リモコンＰから登録要求信号が送信されていないと判定されると（ステップＳ１５：Ｎｏ）、無線回路５０は、タイマ５７が計時する時間が所定の時間（例えば、５ｍｉｎ）だけ経過したか否か（タイムアップしたか否か）を判定する（ステップＳ１７）。
【００８４】
そして、タイムアップしていないと判定すると（ステップＳ１７：Ｎｏ）、再びステップＳ１２の処理に移行し、タイムアップしていると判定すると（ステップＳ１７：Ｙｅｓ）、タイムアップ通知信号を送信した後（ステップＳ１８）、処理を終了する。このタイムアップ通知信号とは、図７（ｅ）に示すように、制御情報と、宛先Ｎｅｔ−ＩＤと、送り元Ｎｅｔ−ＩＤと、信号情報と、誤り検出符号ＦＣＳとから構成される。ここで、宛先Ｎｅｔ−ＩＤは、タイムアップ通知信号を送信する宛先を識別するための識別情報であり、ランプＡ，Ｂ，Ｃに付与されたＮｅｔ−ＩＤとなる。送り元Ｎｅｔ−ＩＤは、タイムアップ通知信号を送信した送り元を識別するための識別情報であり、親機となるランプＡのＮｅｔ−ＩＤである。信号情報は、信号がタイムアップ通知信号であることを示す固有の識別情報である。
【００８５】
また、ステップＳ１５において、リモコンＰから登録要求信号が送信されていると判定されると（ステップＳ１５：Ｙｅｓ）ランプＡは、リモコンＰのＮｅｔ−ＩＤを登録して（ステップＳ１６）、紐付けを完了して点滅し、タイムアップ通知信号を送信する。同時に、ランプＡは、登録したリモコンＰのＮｅｔ−ＩＤに向けてＰＡＮ−ＩＤを送信する。また、リモコンＰも紐付け状態であるフラグを内部に保持する。これによりフラグがＯＮ状態時では、他のランプからブロードキャスト送信があっても反応しない。これは、親機、子機についても同様である。
【００８６】
＜２−３＞子機となるランプの無線回路の動作
照明システム１０００の一部を構成するランプＡ，Ｂ，Ｃ，Ｄのうち、子機となるランプＢ，Ｃの無線回路５０の動作について図９に基づいて説明する。ここで、無線回路５０の各動作は、ＣＰＵ５４がＲＯＭ５６に予め記憶されているプログラムをＲＡＭ５５に読み出した後、当該プログラムを実行することにより実現される。
【００８７】
まず、壁スイッチＸをオンにしてランプＢ，Ｃの電源がオンすると（ステップＳ２１）、タイマ５７がオンし、タイマ５７が計時を開始する（ステップＳ２）。
【００８８】
次に、無線回路５０は、親機であるランプＡから送信されてくるＰＡＮ−ＩＤ情報信号に含まれるＰＡＮ−ＩＤを自機のＰＡＮ−ＩＤとして設定する（ステップＳ２３）。
【００８９】
続いて、無線回路５０は、タイマ５７が計時する時間が所定の時間（例えば、１ｍｉｎ）だけ経過したか否か（タイムアップしたか否か）を判定する（ステップＳ２４）。この時間は、親機のランプＡについて設定された時間と同じ長さである。
【００９０】
ステップＳ２４において、タイムアップしていないと判定すると（ステップＳ２４：Ｎｏ）、待ち状態となる。
【００９１】
一方、ステップＳ２４において、タイムアップしたと判定すると（ステップＳ２４：Ｎｏ）、無線回路５０は、親機であるランプＡに対して時間情報信号を送信する（ステップＳ２５）。
【００９２】
その後、無線回路５０は、親機であるランプＡからペアリングフラグ通知信号を受信したか否かを判定する（ステップＳ２６）。
【００９３】
ステップＳ２６において、親機であるランプＡからペアリングフラグ通知信号を受信していないと判定すると（ステップＳ２６：Ｎｏ）、無線回路５０は、そのまま処理を終了する。
【００９４】
一方、ステップＳ２６において、親機であるランプＡからペアリングフラグ通知信号を受信したと判定すると（ステップＳ２６：Ｙｅｓ）、無線回路５０は、自機が子機としてランプＡと同じグループに帰属したことを示すペアリングフラグを「１」に設定する（ステップＳ２７）。
【００９５】
次に、無線回路５０は、ドライバ回路３０に５０％の調光点灯を指示する調光点灯指示信号を入力する（ステップＳ２８）。このとき、ドライバ回路３０は、無線回路５０から調光点灯指示信号が入力されると、電力変換回路２０に入力する制御信号のデューティ比を低下させる。これにより、電力変換回路２０から発光モジュール４０に入力される電力が低下し、発光モジュール４０から出射される光量が低下する。
【００９６】
次に、無線回路５０は、親機であるランプＡからグループ確定信号を受信したか否かを判定する（ステップＳ２９）。
【００９７】
ステップＳ２９において、親機であるランプＡからグループ確定信号を受信していないと判定されると（ステップＳ２９：Ｎｏ）、無線回路５０は、親機であるランプＡからタイムアップ通知信号を受信したか否かを判定する（ステップＳ３１）。
【００９８】
ステップＳ３１において、親機であるランプＡからタイムアップ通知信号を受信していないと判定されると（ステップＳ３１：Ｎｏ）、無線回路５０は、再びステップＳ２８の処理に移行する。
【００９９】
一方、ステップＳ３１において、親機であるランプＡからタイムアップ通知信号を受信したと判定されると（ステップＳ３１：Ｙｅｓ）、無線回路５０は、そのまま処理を終了する。
【０１００】
また、ステップＳ２９において、親機であるランプＡからグループ確定信号を受信したと判定されると（ステップＳ２９：Ｙｅｓ）、無線回路５０は、ドライバ回路３０に点滅を指示する点滅指示信号を入力する（ステップＳ３０）。このとき、ドライバ回路３０は、無線回路５０から点滅指示信号が入力されると、電力変換回路２０に入力する制御信号のデューティ比を一定の周期で変化させる。これにより、電力変換回路２０から発光モジュール４０に入力される電力が一定の周期で変化することで、発光モジュール４０から出射される光量も一定の周期で変化し、ランプＢ，Ｃが点滅する。その後、ステップＳ３１の処理に移行する。
【０１０１】
＜２−４＞空きＰＡＮ−ＩＤ検索の動作
次に、無線回路５０による空きＰＡＮ−ＩＤを検索する動作について図１０に基づいて説明する。
【０１０２】
まず、無線回路５０は、ビーコン信号をブロードキャスト送信する（ステップＳ５１）。
【０１０３】
その後、無線回路５０は、当該無線回路５０を備えたランプＡと同じネットワークに属する無線ＬＡＮのアクセスポイント等から送信される第１ＡＣＫ信号を受信する（ステップＳ５２）。ここで、無線回路５０が受信可能なその他のＰＡＮ−ＩＤをすべて受信する。
【０１０４】
続いて、無線回路５０は、ランプＡに付与する空きＰＡＮ−ＩＤを検出する（ステップＳ５３）。即ち、他の機器で使用されていない、ＰＡＮ−ＩＤを選択する
＜２−５＞親機であるランプの無線回路の時間比較処理の動作
次に、親機であるランプ１の無線回路５０が行う時間比較処理の動作について図１１に基づいて説明する。
【０１０５】
まず、無線回路５０は、ＲＡＭ５５に記憶されているペアリングフラグを「０」に設定する（ステップＳ４１）。このペアリングフラグは、自機と同一の壁スイッチに接続されているランプが存在するか否かを示すものである。
【０１０６】
次に、無線回路５０は、ＲＡＭ５５に記憶されている自機のＰＡＮ−ＩＤおよび子機であるランプＢ，ＣのＮｅｔ−ＩＤおよびランプＤのＮｅｔ−ＩＤを取得するとともに（ステップＳ４２）、自機のタイマ計数値および子機であるランプＢ，Ｃ，Ｄのタイマ計数値を取得する（ステップＳ４３）。
【０１０７】
続いて、無線回路５０は、自機のタイマ計数値と子機であるランプＢ，Ｃ，Ｄのタイマ計数値との差分△Ｔを算出する（ステップＳ４４）。
【０１０８】
次に、無線回路５０は、差分△Ｔが予め設定された範囲内（△Ｔ１＜△Ｔ＜△Ｔ２）であるか否かを判定する（ステップＳ４５）。この範囲は、例えば、−１．０ｓｅｃ＜△Ｔ＜１．０ｓｅｃに設定すればよい。このタイマー計数はＣＰＵ５４、２５４の精度により変動するので、ＣＰＵの精度能力に見合った範囲にすることが望ましい。
【０１０９】
ステップＳ４５において、差分△Ｔが予め設定された範囲内であると判定されると（ステップＳ４５：Ｙｅｓ）、無線回路５０は、ＰＡＮ−ＩＤを付与するランプ（ここでは、ランプＢ，Ｃ）のＮｅｔ−ＩＤを特定するとともに（ステップＳ４６）、ペアリングフラグＦ１を「１」に設定する（ステップＳ４７）。
【０１１０】
その後、全てのランプについて差分△Ｔの判定を終了したか否かを判定する（ステップＳ４８）。
【０１１１】
一方、ステップＳ４５において、差分△Ｔが予め設定された範囲内にないと判定されると（ステップＳ４５：Ｎｏ）、無線回路５０は、そのままステップＳ４８の処理を行う。
【０１１２】
ステップＳ４８において、全てのランプＢ，Ｃ，Ｄに対して差分△Ｔの判定を終了したと判定されると（ステップＳ４８：Ｙｅｓ）、無線回路５０は、時間比較処理を終了する。
【０１１３】
一方、ステップＳ４８において、全てのランプ１に対して差分△Ｔの判定を終了していないと判定されると（ステップＳ４８：Ｎｏ）、無線回路５０は、再びステップＳ４４の処理に移行する。
【０１１４】
結局、本実施の形態に係る照明システム１０００では、各ランプＡ，Ｂ，Ｃが、自機が壁スイッチＸによりオンしてからの経過時間を計測する計時手段と、計時手段により計測された経過時間に基づいて壁スイッチＸに有線接続された複数のランプＡ，Ｂ，Ｃを特定する特定手段と、特定手段により同一の壁スイッチＸに有線接続されていると特定された複数のランプＡ，Ｂ，Ｃに同じＰＡＮ−ＩＤを付与するＰＡＮ−ＩＤ付与手段と、遠隔制御装置のＮｅｔ−ＩＤを登録する登録手段とを実現する無線回路５０を備えている。これにより、壁スイッチＸがオンされるだけで壁スイッチＸに有線接続され同じタイミングでオンしたランプＡ，Ｂ，Ｃが特定され、特定されたランプＡ，Ｂ，Ｃ全てに同じＰＡＮ−ＩＤが付与されるとともに、リモコンＰが、同一の壁スイッチＸに有線接続されたランプＡ，Ｂ，Ｃ全てに共通に付与されたＰＡＮ−ＩＤを登録することができるので、同一の壁スイッチＸに有線接続された複数のランプＡ，Ｂ，Ｃについて個別にＩＤを付与していく必要がない。従って、同一の壁スイッチＸに有線接続されたランプＡ，Ｂ，ＣにＩＤを付与する作業の容易化を図ることができる。
＜変形例＞
（１）実施の形態では、壁スイッチ３がオフからオンに切り替わる毎に、各ランプにＰＡＮ−ＩＤを付与する処理を行う例について説明したが、これに限定されるものではない。例えば、各ランプ１が壁スイッチ３がオフからオンに切り替わったときに、自機に付与されたＰＡＮ−ＩＤをＲＯＭ５６に記憶させるとともに、リモコン２もランプ１に付与されたＰＡＮ−ＩＤをＲＯＭ２５６に記憶させ、以後、壁スイッチ３がオフからオンに切り替わっても各ランプ１にＰＡＮ−ＩＤを付与する処理を行わないようにしてもよい。
【０１１５】
本変形例によれば、ランプ１およびリモコン２の有する無線回路５０，２５０で行う処理が低減されるので、ランプ１およびリモコン２での消費電力の低減を図ることができる。
【０１１６】
（２）実施の形態では、無線信号として、ＩＥＥＥ８０２．１５．４規格に準拠した２．４［ＧＨｚ］の周波数帯域の無線信号を用いる例について説明したが、これに限定されるものではなく、他の周波数の無線信号を用いるものであってもよい。例えば、地域別に使用帯域として別途確保された周波数帯域の周波数を用いてもよい。具体的には、欧州では４３３．０５乃至４３４．７９[ＭＨｚ]、８６３乃至８７０[ＭＨｚ]、日本では４２６乃至４２９[ＭＨｚ]、９５０乃至９５６[ＭＨｚ]、米国では２６０乃至４７０[ＭＨｚ]、９０２乃至９２８[ＭＨｚ]などの使用帯域の周波数を使用することができる。また、明記した周波数は時勢などにより変化する可能性があるのでこれに限定するものではない。
【０１１７】
（３）実施の形態では、ランプ１を含む照明システム１０００の例について説明したが、これに限定されるものではない。例えば、複数の無線通信機能を有する空調機器と、複数のリモコンと、複数の壁スイッチとから構成される無線制御システムであってもよい。また、無線通信機能を有する電気機器であれば、ランプや空調機器に限らず、その他の電気機器であってもよい。
【０１１８】
（４）実施の形態では、リモコンＰが登録釦を有し、ユーザがリモコンＰの登録釦を押下すると登録要求信号が送信される例について説明したが、これに限定されるものではない。例えば、リモコンＰの「ＵＰ」、「ＤＯＷＮ」、「ＯＮ」、「ＯＦＦ」釦を押した場合や長押しした場合に登録要求信号が送信されるようにしてもよい。
【０１１９】
（５）実施の形態では、同一の壁スイッチに接続されている複数のランプに同一のＰＡＮ−ＩＤを付与する例について説明したが、これに限定されるものではない。例えば、同一の壁スイッチ（例えば、壁スイッチＸ）に有線接続された複数のランプ（ランプＡ，Ｂ，Ｃ）で互いにＩＤが異なっていても、他の壁スイッチ（例えば、壁スイッチＹ）に有線接続されているランプと区別できればよい。
【０１２０】
（６）実施の形態では、複数のランプ（ランプＡ，Ｂ，Ｃ）がクラスター・ツリー型のネットワークトポロジを構成する例について説明したが、これに限定されるものではない。例えば、複数のランプが、スター型やメッシュ型のネットワークトポロジを構成するものであってもよい。
【符号の説明】
【０１２１】
１  ランプ
２  遠隔制御装置（リモコン）
３  壁スイッチ
１０  電源回路
２０  電力変換回路
３０  ドライバ回路
４０  発光モジュール
５０，２５０  無線回路
５４，２５４  ＣＰＵ
５５，２５５  ＲＡＭ
５６，２５６  ＲＯＭ
５７，２５７  タイマ
６０  基台
７０  グローブ
８０  回路ユニット
９０  筐体
１００  商用電源
２００  電池
２２０  キー入力装置
Ａ１，Ａ２１  アンテナ
【図１】
2013038620.tif 000003
【図２】
2013038620.tif 000004
【図３】
2013038620.tif 000005
【図４】
2013038620.tif 000006
【図５】
2013038620.tif 000007
【図６】
2013038620.tif 000008
【図７】
2013038620.tif 000009
【図８】
2013038620.tif 000010
【図９】
2013038620.tif 000011
【図１０】
2013038620.tif 000012
【図１１】
2013038620.tif 000013
【図１２】
2013038620.tif 000014
【国際調査報告】
2013038620.tif 000015
2013038620.tif 000016
2013038620.tif 000017
2013038620.tif 000018